(57)【要約】      （修正有）【課題】縦向尺寸が大きいことによる体積の増大を解決し、ゲーム機、携帯電話、ノート型パソコン等の電気設備が、小型化、薄型化の需要の符合するジョイスティックポテンショメーターを提供する。【解決手段】ベース１と、圧蓋２、操縦棒３、操縦棒の一端と連結する移動装置４、及び、移動装置と対応接触する電器素子、からなる。移動装置は、縦向棒と、縦向棒４１に交錯する横向棒４２と、からなる。その特徴は、ベース、及び、圧蓋上に、操縦棒を穿挿する通孔１１を設置する。操縦棒は、ベースと圧蓋の間に設けられ、操縦棒と圧蓋間に、復位装置を有する。ベース上に、通孔と相対する容置空間を設置し、縦向棒と横向棒は、容置空間内に装着され、電器素子は、芯片５上に集成され、芯片は、ベース底部に固定される。【選択図】図１
0003116657.tif 000002
【実用新案登録請求の範囲】
【請求項１】
ジョイスティックポテンショメーターは、ベースと、圧蓋、操縦棒、前記操縦棒の一端と連結する移動装置、及び、前記移動装置と対応接触する電器素子、からなり、前記移動装置は、縦向棒と、前記縦向棒に交錯する横向棒と、からなり、その特徴は、前記ベース、及び、前記圧蓋上に、前記操縦棒を穿挿する通孔を設置し、前記操縦棒は、前記ベースと前記圧蓋の間に設けられ、前記操縦棒と前記圧蓋間に、復位装置を有し、前記ベース上に、通孔と相対する容置空間を設置し、前記縦向棒と前記横向棒は、前記容置空間内に装着され、電器素子は、芯片上に集成され、前記芯片は、前記ベース底部に固定されることを特徴とするジョイスティックポテンショメーター。
【請求項２】
前記縦向棒と前記横向棒上に、それぞれ、を有し、前記縦向棒と前記横向棒は、それぞれ、前記カーボンブラシにより、前記電器素子と接触することを特徴とする請求項１に記載のジョイスティックポテンショメーター。
【請求項３】
前記芯片は、前記蓋板より、前記ベース上に固定されることを特徴とする請求項に１記載のジョイスティックポテンショメーター。
【請求項４】
前記復位装置は、両端が連接された弾性素子であることを特徴とする請求項に１記載のジョイスティックポテンショメーター。
【請求項５】
前記移動装置と前記容置空間間に、定位ブロックを設置することを特徴とする請求項１、或いは、４に記載のジョイスティックポテンショメーター。
【考案の詳細な説明】
【技術分野】
【０００１】
本考案は、ポテンショメーターに関するものであって、特に、ジョイスティックにより、複数の電器素子を操縦するジョイスティックポテンショメーターに関するものである。
【背景技術】
【０００２】
ジョイスティックポテンショメーターは、ゲーム機、携帯電話、ノート型パソコン等の製品に幅広く応用され、現有のジョイスティックポテンショメーターは、周囲が側板により覆蓋されたフレーム内部に、相互に交錯した縦向棒と横向棒を配置し、縦向棒と横向棒の底部は、ベースを設置し、フレーム側壁に、ボタンスイッチ等の電器部品を装着した部品装着部を形成し、ボタンスイッチ、可変レジスタ等の電器素子は、フレームの側壁に装着される。縦向棒と横向棒は、それぞれ、電器素子と滑動接触し、電器素子との間の運動により、ゲーム機、携帯電話、ノート型パソコン等の電器設備のナビゲーション、デジタル変換等を実現する。
【０００３】
現有のジョイスティックポテンショメーターは、縦向尺寸が大きく、ジョイスティックポテンショメーターの体積も大きくなり、ゲーム機、携帯電話、ノート型パソコン等の電気設備は小型化、薄型化の趨勢にあるので、その要求に応えることが出来ない。
【考案の開示】
【考案が解決しようとする課題】
【０００４】
本考案は、ジョイスティックポテンショメーターを提供し、ベースと、圧蓋、操縦棒、操縦棒の一端と連結する移動装置、及び、移動装置と対応接触する電器素子、からなる。移動装置は、縦向棒と、縦向棒に交錯する横向棒と、からなる。
【課題を解決するための手段】
【０００５】
その特徴は、ベース、及び、圧蓋上に、操縦棒を穿挿する通孔を設置する。操縦棒は、ベースと圧蓋の間に設けられ、操縦棒と圧蓋間に、復位装置を有する。ベース上に、通孔と相対する容置空間を設置し、縦向棒と横向棒は、容置空間内に装着され、電器素子は、芯片上に集成され、芯片は、ベース底部に固定される。
【０００６】
縦向棒と横向棒は、それぞれ、カーボンブラシを装設し、縦向棒と横向棒は、カーボンブラシにより電器素子と接触する。
【０００７】
芯片は、蓋板により、ベース上に固定される。
【０００８】
復位装置は、両端が相互に連接された弾性素子である。
【０００９】
移動装置と容置空間間に、定位ブロックを設置する。
【考案の効果】
【００１０】
上述のような構造により、本考案の操縦棒は、ベースと圧蓋間に設置され、移動装置は、ベースの容置空間内に設置されると共に、外部と連結する電器素子が芯片上に集成され、効果的に、ジョイスティックポテンショメーターの縦向尺寸が大きいことによる体積の増大を解決し、ジョイスティックポテンショメーターが、ゲーム機、携帯電話、ノート型パソコン等の電気設備が、小型化、薄型化の需要の符合するようにする。  
【考案を実施するための最良の形態】
【００１１】
図１、図２は、本考案のジョイスティックポテンショメーター構造を示す図で、ベース１と、圧蓋２、操縦棒３、操縦棒３の一端と連結する移動装置４、及び、移動装置４と対応接触する電器素子、からなる。
【００１２】
ベース１と圧蓋２上に、通孔１１、２１を設置し、操縦棒３の両端に、通孔１１、２１を穿過し、ベース１、及び、圧蓋２間に形成される空間内に容置される。圧蓋２上に、複数の固定柱２２を設置し、ベース１上に、固定柱２２と対応する固定孔１２を設置し、組み立て時、固定柱２２を固定孔１２内に挿入すればいいので、装着が非常に容易である。
【００１３】
ベース１の底部は、通孔２１と相通する容置空間２３を有して、操縦棒３と連結する移動装置４を容置する。
【００１４】
操縦棒３と連結する移動装置４は、縦向棒４１と、縦向棒に交錯する横向棒４２と、からなる。縦向棒４１と横向棒４２は、容置空間２３内に装着され、効果的に、ジョイスティックポテンショメーターの縦向尺寸が大きいことによる体積の増大を解決し、ジョイスティックポテンショメーターが、ゲーム機、携帯電話、ノート型パソコン等の電気設備が、小型化、薄型化の需要の符合するようにする。
【００１５】
更に、移動装置４と容置空間２３の間に、定位ブロック４３を設置し、縦向棒４１と横向棒４２、及び、定位ブロック４３上に、それぞれ、四角形孔４１０、４２０、４３０を設置する。操縦棒３と移動装置４の連結端は、定位ブロック４３の四角形孔４３０と対応する凸ブロック３１を有し（図３で示される）、操縦棒３が係合した後、定位の作用を有して、操作棒３の転動を防止する。凸ブロック３１上は、柱体３２を延伸し、柱体３２は、縦向棒４１と横向棒４２が交錯した時の二つの四角形孔４１０、４２０により形成される空間内に挿入できる。
【００１６】
電器素子は、芯片５上に集成され、芯片５は、固定柱２２と対応する穿孔５１を有し、芯片５は、圧蓋２の固定柱２２により、ベース１の底部に定位し、芯片５上の電器素子は、縦向棒４１と横向棒４２の接触端と滑動接触する。縦向棒４１と横向棒４２で、芯片５の接触端は、それぞれ、カーボンブラシ６、７を有し、縦向棒４１と横向棒４２は、それぞれ、カーボンブラシ６、７により、芯片５上の電器素子と接触し、芯片５は、蓋板８により、ベース１上に固定される。
【００１７】
操縦棒３は、作動時に、自動復位し、操縦棒３と圧蓋２の間は、弾性がある復位装置９を設置し、弾性素子両端は、連接状のリングで、操縦棒３上に設置され、復位装置９は、弾性材料からなるリングにより構成される。
【００１８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１９】
【図１】本考案は、圧蓋方向に沿った立体分解図である。
【図２】本考案は、ベース方向に沿った立体分解図である。
【図３】本考案のジョイスティックポテンショメーターの立体図である。
【符号の説明】
【００２０】
１…ベース
１１…通孔
１２…固定孔
２…圧蓋
２１…通孔
２２…固定柱
２３…容置空間
３…操縦棒
３１…凸ブロック
３２…柱体
４…移動装置
４１…縦向棒
４２…横向棒
４３…定位ブロック
４１０、４２０、４３０…四角形孔
５…芯片
５１…穿孔
６、７…カーボンブラシ
８…蓋板
９…復位装置
【図１】
0003116657.tif 000003
【図２】
0003116657.tif 000004
【図３】
0003116657.tif 000005